(57)【要約】      （修正有）【課題】走査部のバッテリーが切れてもユーザが直前まで使用していた表示内容を操作部から画像処理装置本体に送信して保持し、本体に装着した操作部に戻す装置を提供する。【解決手段】着脱可能な操作部と前記操作部と画像処理装置本体とはワイヤレス通信で接続された画像処理装置において、取り外した状態の操作部のバッテリー残量がスレッショルド電圧レベル２以下になることを検知する手段と、前期スレッショルド電圧レベル１以下になることを検知する手段と、前記検知手段で検知した後、ＬＣＤ表示をＯＦＦする手段と、最終表示内容を再表示するための設定値を画像処理装置本体にワイヤレス通信で送信する手段と、前記送信手段で送信し終わった後に操作部の電源をＯＦＦする手段と、画像処理装置本体に装着した操作部に前記送信手段で送信した最終表示内容を再表示するための設定値を再び操作部に戻して表示する手段と、を備えた。【選択図】図４
2015225195.tif 000002
【特許請求の範囲】
【請求項１】
着脱可能な操作部（１０２）を持ち前記操作部（１０２）と画像処理装置（１０１）本体とはワイヤレス通信で情報のやり取り（図１）を行なう画像処理装置（１０１）において、
取り外した状態の操作部（１０２）のバッテリー（３０９）残量がスレッショルド電圧レベル２（図５）以下になることを検知する手段（Ｓ４０１）と、
取り外した状態の操作部（１０２）のバッテリー（３０９）残量がスレッショルド電圧レベル１（図５）以下になることを検知する手段（Ｓ４０３）と、
前記検知手段で検知した後、ＬＣＤ表示（３０７）をＯＦＦする手段（Ｓ４０４）と、
最終表示内容を再表示するための設定値を画像処理装置（１０１）本体にワイヤレス通信で送信する手段（Ｓ４０５）と、
前記送信手段で送信し終わった後に操作部（１０２）の電源をＯＦＦする手段（Ｓ４０６）と、
画像処理装置（１０１）本体に装着した操作部（１０２）に前記送信手段（Ｓ４０５）で送信した最終表示内容を再表示するための設定値を再び操作部に戻して表示する手段（Ｓ４１２）と、
を備えたことを特徴とする着脱可能操作部の画面表示方法（図４）と装置（図１）。
【請求項２】
取り外した状態の操作部（１０２）のバッテリー（３０９）残量がスレッショルド電圧レベル２（図５）以下になることを検知する手段（Ｓ４０１）により、操作部（１０２）のＬＣＤ表示（３０７）のバックライトの明るさを制御する手段（Ｓ４０２）を備えたことを特徴とする請求項１に記載の着脱可能操作部の画面表示方法（図４）と装置（図１）。
【請求項３】
取り外した状態の操作部（１０２）のバッテリー（３０９）残量がスレッショルド電圧レベル１（図５）以下になることを検知する手段（Ｓ４０３）で検知した後、ＬＣＤ表示（３０７）のみをＯＦＦする（Ｓ４０４）ことにより、最終表示内容を確定させた後に変更することができないことを特徴とする請求項１に記載の着脱可能操作部の画面表示方法（図４）と装置（図１）。
【請求項４】
バッテリー（３０９）切れの操作部（１０２）を画像処理装置（１０１）本体の所定の位置に戻した時に操作部（１０２）のバッテリー（３０９）に充電が開始され、充電電圧がスレッショルド電圧レベル３（図５）以上になるまでは取り外せないようにロックする手段（Ｓ４１１、Ｓ４１６、Ｓ４１７、図７）を設けたことを特徴とする請求項１に記載の着脱可能操作部の画面表示方法（図４）と装置（図１）。
【発明の詳細な説明】
【技術分野】
【０００１】
本発明は、画像処理装置本体から着脱可能な操作部がバッテリー切れになった場合の表示内容の再表示方法と装置に関する。
【背景技術】
【０００２】
画像処理装置本体から着脱可能な操作部は、本体から取り外した状態ではワイヤレス通信により操作部に表示する表示内容や入力情報をやり取りする（特許文献１参照）。また、取り外した状態の操作部を使用中にバッテリー切れになると、操作部に電力が供給されて再び使用できるようになってもバッテリー切れ直前の最終表示内容は消えていた。
【先行技術文献】
【特許文献】
【０００３】
【特許文献１】特開２００９−１３９７７２号公報
【発明の概要】
【発明が解決しようとする課題】
【０００４】
バッテリー切れになった操作部を充電のために画像処理装置本体に接続して操作部表示が可能になっても操作部の表示内容がリセットされてデフォルト画面に戻り、操作部のバッテリー切れ直前まで表示していた最終表示内容には戻らないという課題がある。
【課題を解決するための手段】
【０００５】
本発明の構成は、
着脱可能な操作部（１０２）を持ち前記操作部（１０２）と画像処理装置（１０１）本体とはワイヤレス通信で情報のやり取り（図１）を行なう画像処理装置（１０１）において、
取り外した状態の操作部（１０２）のバッテリー（３０９）残量がスレッショルド電圧レベル２（図５）以下になることを検知する手段（Ｓ４０１）と、
取り外した状態の操作部（１０２）のバッテリー（３０９）残量がスレッショルド電圧レベル１（図５）以下になることを検知する手段（Ｓ４０３）と、
前記検知手段で検知した後、ＬＣＤ表示（３０７）をＯＦＦする手段（Ｓ４０４）と、
最終表示内容の設定値を画像処理装置（１０１）本体にワイヤレス通信で送信する手段（Ｓ４０５）と、
前記送信手段で送信し終わった後に操作部（１０２）の電源をＯＦＦする手段（Ｓ４０６）と、
画像処理装置（１０１）本体に装着した操作部（１０２）に前記送信手段（Ｓ４０５）で送信した最終表示内容を表示するための設定値を再び操作部に戻して表示する手段（Ｓ４１２）と、
を備えたことを特徴とする着脱可能操作部の画面表示方法（図４）と装置（図１）である。
【発明の効果】
【０００６】
本発明によれば、操作部のバッテリーが切れてもユーザが直前まで使用していた表示内容を操作部から画像処理装置本体に送信して保持し、本体に装着した操作部に表示内容を戻すことで、前記表示内容を再表示してユーザの利便性を向上することができるという効果がある。
【図面の簡単な説明】
【０００７】
【図１】本発明の全体構成を示す図である。
【図２】画像処理装置のハード構成図を示す図である。
【図３】操作部のハード構成を示す図である。
【図４】本発明のシステム全体のフローを説明する図である。
【図５】操作部内のバッテリーを説明する図である。
【図６】操作部内のＬＣＤ表示おける表示例を示す図である。
【図７】操作部を画像処理装置に装着した際にロックする構造を示す図である。
【発明を実施するための形態】
【０００８】
以下、本発明を実施するための最良の形態について図面を用いて説明する。図１は、本発明のシステム全体を示した図である。
【０００９】
画像処理装置１０１はネットワークインターフェースやローカルインターフェースなどの外部インターフェース経由でＰＣからの印刷データを受けて用紙に印刷したり一時保存したりする装置である。内部構成については図２で詳細に説明する。
【００１０】
前記画像処理装置１０１から取り外し可能な操作部１０２は、ユーザが画像処理装置１０１を使用する際の命令入力や、ユーザが画像処理装置１０１の設定を行なう際の内容確認表示を行なう。取り外した状態での画像処理装置１０１と操作部１０２との情報のやりとりはワイヤレス通信により行なう。内部構成については図３で、一連の動作フローは図４で詳細に説明する。
【００１１】
図２は、画像処理装置１０１の概要をブロック図で表した図である。２０１は、ネットワークインターフェース部２１２やローカルインターフェース部２１３を経由して受信した印刷データを処理するコントローラ部である。この中には、ＣＰＵ２２０を内蔵し主に印刷データをエンジン部２０２に渡す処理をするＡＳＩＣ２１１を備える。また、ユーザに画像処理装置の状況を伝えユーザからの操作入力が行なえる操作部１０２やプログラムの記憶やユーザデータの一時保持などを行なうＲＯＭ２１８、印刷データを処理する場合の画像展開領域やプログラムのワーク領域であるＲＡＭ２１９を備える。また、操作部１０２を取り外した際に操作部１０２と操作部情報のやり取りを行なうワイヤレス制御部２１５とアンテナ２１６を備える。
【００１２】
操作部情報は、操作部１０２上のＬＣＤ表示部３０７（図３）に表示するイメージや表示コマンドであり、操作部１０２上のキー操作部３０６（図３）から入力されるキー操作情報である。
【００１３】
操作部１０２が画像処理装置１０１に装着されている時には、操作部１０２との操作部インターフェース２１７を介して操作部情報をやり取りする。その際には、画像処理装置１０１のワイヤレス制御部２１５と操作部１０２上のワイヤレス制御部３０４は、それぞれのＣＰＵ（ＣＰＵ２２０とＣＰＵ３０１）が通電を制御して入力電源を切ることも可能である。
【００１４】
また、外部インターフェースを介してＰＣとデータ送受信を行なうネットワークインターフェース部２１２やローカルインターフェース部２１３を備える。外部インターフェースには、イーサネット（登録商標）やＵＳＢなどが想定される。また、処理した印刷データをエンジン部２０２へ送るエンジンインターフェース部２１４も備える。
また、画像処理装置１０１内には、コントローラ部２０１からの印刷データを紙に印刷するエンジン部２０２を備える。
【００１５】
図３は、図１に図示する操作部１０２の内部ハード構成を示す図である。操作部１０２には、周知のＣＰＵ３０１、ＲＯＭ３０２、ＲＡＭ３０３、ワイヤレス制御部３０４がバス３１０を介して接続されている。ワイレス制御部３０４にはアンテナ３０５が接続されている。また、キー操作部３０６、ＬＣＤ表示部３０７はＣＰＵ３０１に接続されている。ＲＯＭ３０２には操作部１０２全体を制御するプログラムが格納されており、ＣＰＵ３０１がこのプログラムを実行する。
【００１６】
キー操作部３０６は、ユーザが画像処理装置１０１を使用する際の命令入力として使用される。ＬＣＤ表示部３０７は、画像処理装置１０１の状態やユーザが画像処理装置１０１の設定を行なう際の内容確認表示を行なう。本体接続部３０８は、画像処理装置１０１に操作部１０２を装着した状態での画像処理装置１０１と操作部１０２間の情報をやり取りする有線インターフェースである。
【００１７】
本体接続部３０８には図示していないがデータ信号線や制御信号線および電力供給線を備えている。画像処理装置１０１に操作部１０２を装着した状態ではこの電力供給線を通して画像処理装置１０１から操作部１０１に電力を供給する。また、画像処理装置１０１に操作部１０２を装着した状態ではワイヤレス制御部３０４での通信は行なわないので、ワイヤレス制御部３０４への電力供給を停止することも可能である。バッテリー３０９は、操作部１０２全体に電力を供給する充電可能な二次電池である。画像処理装置１０１に操作部１０２を装着した状態では、バッテリー３０９からの電力供給は行なわず画像処理装置１０１から本体接続部３０８を経由して操作部１０２に電力供給を行なう。画像処理装置１０１から操作部１０２を取り外した状態ではバッテリー３０９から操作部１０２に電力供給を行なう。
【００１８】
図４は画像処理装置１０１から操作部１０２を取り外した状態での本発明の動作フローを説明したフロー図である。なお、Ｓ４０１からＳ４０６では取り外した状態の操作部１０２の動作を説明している。また、Ｓ４０７からＳ４０９では操作部１０２を取り外した状態の画像処理装置１０１の動作を説明している。また、Ｓ４１０からＳ４１７は画像処理装置１０１に操作部１０２を装着した状態の動作を説明している。
【００１９】
Ｓ４０１は操作部１０２内のＣＰＵ３０１がバッテリー３０９のバッテリー残量を検知している。図５も参照しながら説明する。ＣＰＵ３０１は図５のスレッショルド電圧レベル２と現在のバッテリー残量を比較してバッテリー残量がスレッショルド電圧レベル２以下と判断する。Ｓ４０２で操作部１０２のＣＰＵ３０１はＬＣＤ表示部３０７のバックライトの明るさを制御して明るさを低くする。
【００２０】
Ｓ４０３では、ＣＰＵ３０１はスレッショルド電圧レベル１と現在のバッテリー残量を比較してバッテリー残量がスレッショルド電圧レベル１以下と判断したら、Ｓ４０４で操作部１０２のＬＣＤ表示部３０７の表示画面のみを消す。その際、ＣＰＵ３０１は表示画面を消す直前には図６のように「バッテリーが切れました」というメッセージをＬＣＤ表示部３０７に表示する（図６（ｂ））。
【００２１】
Ｓ４０５で、操作部１０２はユーザが最後に操作していた最終表示内容を後で再表示するための設定値を画像処理装置１０１に送信する。最終表示内容を再表示するための設定値とは、ＬＣＤ表示部３０７の明るさや視野角度などの表示に関する各レジスタ設定値、および表示画像などを指す。これらの情報は通常、画像処理装置１０１本体のＲＯＭ２１８に保持されており、画像処理装置１０１のＣＰＵ２２０が随時操作部１０２へ送信して、操作部１０２内のＣＰＵ３０１がＬＣＤ表示部３０７の表示内容に反映している。
【００２２】
その後、Ｓ４０６で操作部１０２は自身の電源を切る。実際には、図示していないが操作部１０２内のＣＰＵ３０１からの命令により操作部１０２内の電源系統を制御して操作部１０２全体の電源を切る。
【００２３】
Ｓ４０７からは画像処理装置１０１の動作フローになる。画像処理装置１０１内のＣＰＵ２２０はＳ４０７ではＳ４０５の操作部１０２からの最終表示内容を再表示するための設定値を受信したかどうかを検知する。Ｓ４０７で、ＣＰＵ２２０が受信したと判断したら、Ｓ４０８ではＣＰＵ２２０は受信した最終表示内容を再表示するための設定値を画像処理装置１０１内のＲＯＭ２１８に一時保持する。
【００２４】
Ｓ４０９では、画像処理装置１０１内のＣＰＵ２２０は操作部１０２が所定の場所に装着されたかどうかを検知する。画像処理装置１０１内のＣＰＵ２２０は操作部１０２が装着されたと判断したら、Ｓ４１０では画像処理装置１０１から操作部１０２内のバッテリー３０９に充電を行なう。
【００２５】
Ｓ４１１では操作部１０２がユーザに取り外されないように図７のロックアームで操作部１０２を固定する。詳細には、図７のように操作部１０２の両端の辺の中央付近に窪みを設け、ＣＰＵ２２０がロックアームを前記窪みに動かしてロック状態にする。このロック状態は、操作部１０２内のバッテリー３０９の充電電圧が図５で示されるスレッショルド電圧レベル３以上になるまで継続する。図示していないが、このロックアームはＣＰＵ２１１の制御により動作する構成である。
【００２６】
Ｓ４１２では、ＣＰＵ２２０はＲＯＭ２１８に一時保持した最終表示内容を再表示するための設定値を操作部インターフェース２１７を介して操作部１０２に戻し、取り外した時のバッテリー切れになる直前の最終表示内容を表示する。この時点では操作部１０２内のバッテリー３０９は画像処理装置１０１から充電している。また、操作部１０２が消費する電力は操作部インターフェース２１７を介して画像処理装置１０１から供給している。
【００２７】
Ｓ４１３では、画像処理装置１０１内のＣＰＵ２２０により操作部１０２内のＬＣＤ表示部３０７に「この表示内容でＯＫ？」という表示（図６（ｃ））を行ない、ユーザに対してこの表示内容で良いかどうかの判断を促す。この表示内容で良い場合、Ｓ４１５では、Ｓ４０８で書き込んだ最終表示内容を再表示させるための設定値をＣＰＵ２２０がＲＯＭ２１８から削除する。
【００２８】
Ｓ４１６では図５のスレッショルド電圧レベル３と現在のバッテリー残量を比較してバッテリー残量がスレッショルド電圧レベル３以上と判断したら、Ｓ４１７で操作部１０２のロック状態をＣＰＵ２２０が解除してこのフローを終了する。また、Ｓ４１３でユーザが表示内容をＮＯと判断した場合、または一定の時間が経過した場合には、Ｓ４１４で表示内容をデフォルト表示（図６（ａ））に戻す。
【００２９】
以上説明したように、請求項１においては、操作部のバッテリーが切れても直前の表示内容を操作部から画像処理装置本体に送信して保持し、本体に装着した操作部に表示内容を戻すことで、直前の内容を再表示して利便性が向上するという効果がある。
【００３０】
また、請求項２においては、バッテリーのスレッショルド電圧レベル２を検知することによりＬＣＤ表示のバックライトの明るさを制御する手段を加えることで、操作部のバッテリー切れまでの時間を延ばすことができるという効果がある。
【００３１】
また、請求項３においては、操作部のバッテリー残量がスレッショルド電圧レベル１以下を検知する手段で検知した後、ＬＣＤ表示のみをＯＦＦすることにより、最終表示内容を確定させた後に変更することができないようにすることができるという効果がある。
【００３２】
また、請求項４においては、バッテリー切れの操作部を画像処理装置本体の所定の位置に戻した時に操作部のバッテリーに充電が開始され、充電電圧がスレッショルド電圧レベル３以上になるまでは取り外せないようにロックする手段を設けた。そうすることにより、操作部のバッテリーを十分に充電するまではユーザに利用させないようにすることができるという効果が期待できる。
【００３３】
また、図示していないが、ワイヤレス通信の方法は、ＷｉＦｉ、Ｂｌｕｅｔｏｏｔｈ(登録商標）、ＺｉｇＢｅｅ、赤外線通信などの近距離無線通信方法であってもよい。
【００３４】
また、図示していないが、操作部のＬＣＤ表示部とキー操作部は、本実施例では別々になっているがタッチパネルにそれぞれの機能を集約してもよい。
【００３５】
また、図示していないが、操作部のバッテリーへの充電方法として操作部と画像処理装置間は無線電力伝送であってもよい。
【符号の説明】
【００３６】
１０１  画像処理装置、１０２  操作部、３０６  操作部（１０２）内のキー操作部、
３０７  操作部（１０２）内のＬＣＤ表示部、
３０８  操作部（１０２）内の本体接続部、３０９  操作部（１０２）内のバッテリー
【図１】
2015225195.tif 000003
【図２】
2015225195.tif 000004
【図３】
2015225195.tif 000005
【図４】
2015225195.tif 000006
【図５】
2015225195.tif 000007
【図６】
2015225195.tif 000008
【図７】
2015225195.tif 000009